(57)【要約】【課題】扉をピン支承により回転可能に支持する扉の支持装置において、扉の開閉時の勢いを抑制し、また、過度に軽微な力では容易に開閉しないようにする。【解決手段】扉１７に固定される下部扉側部材３７と、床１２に固定される床側部材３９とを備えた下部扉支持装置３５において、床側部材が有する下部ピン４２が円錐台形状を有すると共に、下部扉側部材のピン嵌合穴９０ａも同様の円錐台形状の中空部を与えるように形成される。下部ピンをピン嵌合穴に挿入したとき、下部ピンの円錐側面４２ｂがピン嵌合穴の円錐台中空部の内面に接触すると共に下部ピンの先端面４２ａがピン嵌合穴の底面９０ｃに接触しながら相対回転して扉開閉に抵抗を与える。【選択図】図４
2010180625.tif 000002
【特許請求の範囲】
【請求項１】
扉枠と床で形成される開口部に設けられる扉に対して該扉の幅方向一側の下部をピン支承により支持する扉支持装置であって、扉側に固定される下部扉側部材と、床側に固定される床側部材とを備え、床側部材が有する下部ピンが下部扉側部材のピン嵌合穴に回転自在に嵌入することにより扉の下部をピン支承する構成を有するものにおいて、下部ピンの少なくともピン嵌合穴に嵌入される先端部が略円錐状、略円錐台状および略半球状のいずれかに形成されると共に、ピン嵌合穴の少なくとも下部ピン先端部を嵌入する部分が該下部ピン先端部の形状に対応して形成され、下部ピン先端部がピン嵌合穴と円錐側面または球面で摺接しながら相対回転して扉開閉に抵抗を与えることを特徴とする扉支持装置。
【請求項２】
扉枠と床で形成される開口部に設けられる扉に対して該扉の幅方向一側の下部をピン支承により支持する扉支持装置であって、扉側に固定される下部扉側部材と、床側に固定される床側部材とを備え、床側部材が有する下部ピンが下部扉側部材のピン嵌合穴に回転自在に嵌入することにより扉の下部をピン支承する構成を有するものにおいて、下部ピンの少なくともピン嵌合穴に嵌入される先端部が円錐台形状を有すると共に、ピン嵌合穴の少なくとも下部ピン先端部を嵌入する部分が該下部ピン先端部形状に対応して円錐台形状の中空部を与えるように形成されており、下部ピン先端部の円錐側面がピン嵌合穴の円錐台中空部の内面に接触すると共に下部ピン先端部の先端面がピン嵌合穴の底面に接触しながら相対回転して扉開閉に抵抗を与えることを特徴とする扉支持装置。
【請求項３】
扉枠と床で形成される開口部に設けられる扉に対して該扉の幅方向一側の下部をピン支承により支持する扉支持装置であって、扉側に固定される下部扉側部材と、床側に固定される床側部材とを備え、床側部材が有する下部ピンが下部扉側部材のピン嵌合穴に回転自在に嵌入することにより扉の下部をピン支承する構成を有するものにおいて、円柱形状の下部ピンの先端に円錐状凹部が形成されると共に、ピン嵌合穴の底部には該下部ピン先端の円錐状凹部に嵌入可能なように突出する円錐状の突起が形成されており、下部ピン先端の円錐状凹部にピン嵌合穴の底部の円錐状突起が嵌入してこれらの円錐側面が接触しながら相対回転して扉開閉に抵抗を与えることを特徴とする扉支持装置。
【請求項４】
下部ピンの先端から少なくとも円錐状凹部の底部に至るスリットが下部ピンの直径に亘って形成されており、扉の荷重が作用することにより、下部ピンのスリットを押し拡げながら先端円錐状凹部に下部扉側部材の円錐状突起が入り込んでいってこれらの間の摩擦抵抗をさらに高めることを特徴とする請求項３記載の扉支持装置。
【請求項５】
扉枠と床で形成される開口部に設けられる扉に対して該扉の幅方向一側の下部をピン支承により支持する扉支持装置であって、扉側に固定される下部扉側部材と、床側に固定される床側部材とを備え、床側部材が有する下部ピンが下部扉側部材のピン嵌合穴に回転自在に嵌入することにより扉の下部をピン支承する構成を有するものにおいて、円柱形状の下部ピンの先端が略半球状に形成されると共に、ピン嵌合穴の底部は該下部ピンの略半球状先端を収容可能なように略半球状に形成されており、下部ピンの略半球状先端がピン嵌合穴の略半球状底部に球面で接触しながら相対回転して扉開閉に抵抗を与えることを特徴とする扉支持装置。
【請求項６】
扉枠と床で形成される開口部に設けられる扉に対して該扉の幅方向一側の上部をピン支承により支持する扉支持装置であって、扉枠側に固定される扉枠側部材と、扉側に固定される上部扉側部材とを備え、上部扉側部材が有する上部ピンが扉枠側部材のピン嵌合穴に回転自在に嵌入することにより扉の上部をピン支承する構成を有するものにおいて、上部ピンの少なくともピン嵌合穴に嵌入される先端部が略円錐状、略円錐台状および略半球状のいずれかに形成されると共に、ピン嵌合穴の少なくとも上部ピン先端部を嵌入する部分が該上部ピン先端部の形状に対応して形成され、上部ピン先端部がピン嵌合穴と円錐側面または球面で摺接しながら相対回転して扉開閉に抵抗を与えることを特徴とする扉支持装置。
【発明の詳細な説明】
【技術分野】
【０００１】
本発明は、扉をピン支承により回転可能に支持する扉支持装置に関する。
【背景技術】
【０００２】
扉支持装置としては、たとえば下記特許文献１および２に記載されるように、上枠と左右縦枠とからなる扉枠と床とで形成される開口部に設けられる扉に対して該扉の幅方向一側の上部および下部をそれぞれピン支承により支持するタイプのものが知られている。上部支持手段は上枠と扉の上木口との間で扉を開閉可能に支持し、下部支持手段は扉の下木口と床との間で扉を開閉可能に支持する。
【０００３】
このようなタイプの扉支持装置は、扉の自重がかかる重心と支持手段との間の距離が短いので、扉の自重による曲げモーメントやせん断力が小さくなり、扉の支持側とは反対側が自重で下がってしまうことを防止すると共に、扉の開閉がスムーズで小さな力でも開閉動作が容易であるというメリットが発揮される。
【先行技術文献】
【特許文献】
【０００４】
【特許文献１】特開２００４−１５００２１号公報
【特許文献２】特開２００５−１３３５２６号公報
【発明の概要】
【発明が解決しようとする課題】
【０００５】
しかしながら、軽微な力でも開閉できることは必ずしもメリットばかりではなく、扉が勢いよく開閉して扉が人に当たったり、扉と枠との間に指を挟んだりして怪我をするおそれが生ずる。また、扉が勢いよく閉まる際の音が大きかったり、戸当たりが破損するという問題も懸念される。エアコンの風などでも扉が開閉してしまうこともある。さらには、扉枠の上部横枠が扉の開く方向に傾いて建て付けられている場合があり、この場合には扉の回転軸も扉の開く方向に傾斜するので、扉が勝手に開いてしまうことがある。
【０００６】
したがって、本発明が解決しようとする課題は、上記従来技術のタイプの扉支持装置に改良を加えて、扉の開閉時の勢いを抑制し、また、過度に軽微な力では容易に開閉しないようにすることである。
【課題を解決するための手段】
【０００７】
この課題を解決するため、請求項１に係る本発明は、扉枠と床で形成される開口部に設けられる扉に対して該扉の幅方向一側の下部をピン支承により支持する扉支持装置であって、扉側に固定される下部扉側部材と、床側に固定される床側部材とを備え、床側部材が有する下部ピンが下部扉側部材のピン嵌合穴に回転自在に嵌入することにより扉の下部をピン支承する構成を有するものにおいて、下部ピンの少なくともピン嵌合穴に嵌入される先端部が略円錐状、略円錐台状および略半球状のいずれかに形成されると共に、ピン嵌合穴の少なくとも下部ピン先端部を嵌入する部分が該下部ピン先端部の形状に対応して形成され、下部ピン先端部がピン嵌合穴と円錐側面または球面で摺接しながら相対回転して扉開閉に抵抗を与えることを特徴とする。
【０００８】
請求項２に係る本発明は、扉枠と床で形成される開口部に設けられる扉に対して該扉の幅方向一側の下部をピン支承により支持する扉支持装置であって、扉側に固定される下部扉側部材と、床側に固定される床側部材とを備え、床側部材が有する下部ピンが下部扉側部材のピン嵌合穴に回転自在に嵌入することにより扉の下部をピン支承する構成を有するものにおいて、下部ピンの少なくともピン嵌合穴に嵌入される先端部が円錐台形状を有すると共に、ピン嵌合穴の少なくとも下部ピン先端部を嵌入する部分が該下部ピン先端部形状に対応して円錐台形状の中空部を与えるように形成されており、下部ピン先端部の円錐側面がピン嵌合穴の円錐台中空部の内面に接触すると共に下部ピン先端部の先端面がピン嵌合穴の底面に接触しながら相対回転して扉開閉に抵抗を与えることを特徴とする。
【０００９】
請求項３に係る発明は、扉枠と床で形成される開口部に設けられる扉に対して該扉の幅方向一側の下部をピン支承により支持する扉支持装置であって、扉側に固定される下部扉側部材と、床側に固定される床側部材とを備え、床側部材が有する下部ピンが下部扉側部材のピン嵌合穴に回転自在に嵌入することにより扉の下部をピン支承する構成を有するものにおいて、円柱形状の下部ピンの先端に円錐状凹部が形成されると共に、ピン嵌合穴の底部には該下部ピン先端の円錐状凹部に嵌入可能なように突出する円錐状の突起が形成されており、下部ピン先端の円錐状凹部にピン嵌合穴の底部の円錐状突起が嵌入してこれらの円錐側面が接触しながら相対回転して扉開閉に抵抗を与えることを特徴とする。
【００１０】
請求項４に係る発明は、請求項３記載の扉支持装置において、下部ピンの先端から少なくとも円錐状凹部の底部に至るスリットが下部ピンの直径に亘って形成されており、扉の荷重が作用することにより、下部ピンのスリットを押し拡げながら先端円錐状凹部に下部扉側部材の円錐状突起が入り込んでいってこれらの間の摩擦抵抗をさらに高めることを特徴とする。
【００１１】
請求項５に係る本発明は、扉枠と床で形成される開口部に設けられる扉に対して該扉の幅方向一側の下部をピン支承により支持する扉支持装置であって、扉側に固定される下部扉側部材と、床側に固定される床側部材とを備え、床側部材が有する下部ピンが下部扉側部材のピン嵌合穴に回転自在に嵌入することにより扉の下部をピン支承する構成を有するものにおいて、円柱形状の下部ピンの先端が略半球状に形成されると共に、ピン嵌合穴の底部は該下部ピンの略半球状先端を収容可能なように略半球状に形成されており、下部ピンの略半球状先端がピン嵌合穴の略半球状底部に球面で接触しながら相対回転して扉開閉に抵抗を与えることを特徴とする。
【００１２】
請求項６に係る本発明は、扉枠と床で形成される開口部に設けられる扉に対して該扉の幅方向一側の上部をピン支承により支持する扉支持装置であって、扉枠側に固定される扉枠側部材と、扉側に固定される上部扉側部材とを備え、上部扉側部材が有する上部ピンが扉枠側部材のピン嵌合穴に回転自在に嵌入することにより扉の上部をピン支承する構成を有するものにおいて、上部ピンの少なくともピン嵌合穴に嵌入される先端部が略円錐状、略円錐台状および略半球状のいずれかに形成されると共に、ピン嵌合穴の少なくとも上部ピン先端部を嵌入する部分が該上部ピン先端部の形状に対応して形成され、上部ピン先端部がピン嵌合穴と円錐側面または球面で摺接しながら相対回転して扉開閉に抵抗を与えることを特徴とする。
【００１３】
本発明を適用できる扉は、扉枠を有し、その扉枠の開口部に水平面内での回転によって開閉するものである。この場合、扉は片側開きはもちろん両側開き（観音開き）のものでも良い。扉枠は、上枠と一対の縦枠を有する三方枠（または略門形）のものである。ピン支承は、ピボットヒンジに相当し、ピン周りの回転運動のみが自由で、軸方向や軸に直角の方向の移動を規制する支承方式である。
【発明の効果】
【００１４】
本発明によれば、扉の上部または下部に使用される扉支持装置において、扉を支承するピンがピン嵌合穴に嵌合された状態で扉を開閉するときに、ピンとピン嵌合穴とが接触面積の大きな円錐側面または球面で接触しながら相対回転することになるので、扉の回転に対して抵抗を与え、扉の開閉時の勢いを抑制し、また、過度に軽微な力では容易に開閉しないようにすることができる。
【図面の簡単な説明】
【００１５】
【図１】本発明が適用される扉装置の一例を示す正面図である。
【図２】図１におけるＡ−Ａ断面図である。
【図３】図１におけるＢ−Ｂ断面図である。
【図４】本発明の実施形態による扉支持装置（下部扉支持装置）の平面図（ａ）および正面図（ｂ）である。
【図５】図４の下部扉支持装置を構成する床側部材の平面図（ａ）および正面図（ｂ）である。
【図６】図４の下部扉支持装置を構成する下部扉側部材のブロックの断面図であり、特に床側部材のピンが挿入されるピン嵌合穴の形状を示す図である。
【図７】本発明の実施形態による扉の支持装置（上部扉支持装置）の正面図である。
【図８】図７の上部扉支持装置を構成する上部扉側部材が有するピンの先端部形状を示す正面図である。
【図９】図７の上部扉支持装置を構成する上枠側部材の平面図（ａ）および同図Ｃ−Ｃ断面図（ｂ）である。
【図１０】本発明の他の実施形態による扉支持装置（下部扉支持装置）を示す正面図である。
【図１１】図１０の下部扉支持装置を構成する床側部材の平面図（ａ）および正面図（ｂ）である。
【図１２】図１０の下部扉支持装置を構成する下部扉側部材のブロックの断面図であり、特に床側部材のピンが挿入されるピン嵌合穴の形状を示す図である。
【図１３】本発明のさらに他の実施形態による扉支持装置（下部扉支持装置）を示す正面図である。
【図１４】図１３の下部扉支持装置を構成する床側部材の平面図（ａ）および正面図（ｂ）である。
【図１５】図１３の下部扉支持装置を構成する下部扉側部材のブロックの断面図であり、特に床側部材のピンが挿入されるピン嵌合穴の形状を示す図である。本発明の他の実施形態による扉支持装置（下部扉支持装置）を示す正面図である。
【図１６】本発明のさらに他の実施形態による扉支持装置（上部扉支持装置）を示す正面図である。
【図１７】図１６の上部扉支持装置を構成する上枠側部材の平面図（ａ）および同図Ｄ−Ｄ断面図（ｂ）である。
【発明を実施するための最良の形態】
【００１６】
以下、本発明を添付図面に示す幾つかの実施形態に則して詳述するが、本発明はこれら実施形態に限定されるものではなく、特許請求の範囲に規定される発明の範囲内において種々の変形や改変をなし得ることは云うまでもない。
【実施例１】
【００１７】
図１〜図３は本発明が適用される扉装置の一例を示す。この扉装置は、扉枠１と床１２で形成される開口部１４に扉１７を設けたものである。扉枠１は、上枠３および左右縦枠５、６を有する三方枠（または門形枠）で、バリアフリーのために下枠が無い。扉１７は、片開きで扉枠の開口部１４に対して水平面内で回転するように取り付けられる。
【００１８】
扉枠１および扉１７の材質は特に限定されないが、合板、木質繊維板（ＭＤＦなど）、木削片板、単板積層板などの木質系、スチロール樹脂、塩化ビニル樹脂、強化プラスチック、発泡スチロール樹脂、発泡ウレタン樹脂などの合成樹脂系、あるいは木質系と合成樹脂系との複合積層材料などで形成され、その表面に化粧材が設けられる。化粧材は、扉枠１および扉１７を形成する木質繊維板の少なくとも露出面に設けられ、可撓性を有する材料が選定される。化粧材の材料としては、たとえば天然木材を切削して得られる天然突板や表面に各種模様を印刷した合成樹脂シートなどが使用される。
【００１９】
扉１７は、その幅方向１９の右側（一側）２１の上部および下部において、それぞれ上部扉支持装置２５および下部扉支持装置３５によりピボットヒンジ（ピン支承）により支持される。ピボットヒンジは、その軸が垂直方向に設けられたピン周りの水平面内での回転が可能である。また、扉の左側（他側）で中間高さ位置寄りには取手２４が設けられる。
【００２０】
扉１７が閉じられた状態で扉１７は左右縦枠５、６および上枠３の幅方向中央に設けられた戸当り８に当接する。左側の戸当り８および上枠の戸当り８には緩衝片９が設けられる。緩衝片９は、扉１７が閉じられた際に、その衝撃と衝撃音を小さくする。
【００２１】
床１２は木質材、無機材など材料には限定されないが、たとえば合板、木質繊維板（ＭＤＦなど）、木削片板、単板積層板などの木質系床材の場合には床側部材の固定を木ネジ、釘などで固定することができる。床１２の表面には化粧材が設けられるが、先に挙げた化粧材と同じ材質のものを使用しても良い。
【００２２】
上部扉支持装置２５は、扉枠の上枠３側に取り付けられる上枠側部材２７および扉上部に取り付けられる上部扉側部材２９を有する。上部扉支持装置２５の上枠側部材２７と上部扉側部材２９とは、上部扉側部材２９に設けられるピン３１が上枠側部材２７に設けられる孔に挿入されることによりピン支承される。さらに、ピン３１は、その基端側につまみ３３が設けられ、このつまみ３３を下方に引くことによりピン３１の先端が上枠側部材２７の孔から外れるようになっている。そして、ピン３１は常にコイルばね３４（図７など：後述）により上方に付勢されている。
【００２３】
下部扉支持装置３５は、扉下部に取り付けられる下部扉側部材３７および床に取り付けられる床側部材３９を有する。下部扉支持装置３５の下部扉側部材３７と床側部材３９とは、床側部材３９に設けられるピン４２が下部扉側部材３７に設けられる孔に挿入されることによりピン支承される。下部扉側部材３７に設けられる孔がピン４２に差し込まれることにより下部扉側部材３７がピン先端に載置され、ピン４２は略扉１７の重量を支える。なお、符号５４は床見切りを表す。
【００２４】
図１〜図３に加えてさらに図４〜図６を参照して、下部扉支持装置３５の構成について詳述する。上記したように、下部扉支持装置３５は、扉側に固定される下部扉側部材３７と、床１２側に固定される床側部材３９とを備える。下部扉側部材３７は、床側部材３９に設けられる下部ピン４２によりピン支承されるとともに、下部扉側部材３７は下部ピン４２に対して水平方向に微調整可能な下部水平方向調整機構８４を有する。
【００２５】
下部扉側部材３７は、板状の取付片３７ａと、この取付片３７ａの一辺片側寄りに立設される立設片３７ｂと、この立設片３７ｂの両側から延在する一対の軸受片３７ｃおよび先端側から延在する覆片３７ｄとを有する。立設片３７ｂ、軸受片３７ｃおよび覆片３７ｄは略立方体状の空間の隣り合う４面を覆う。下部扉側部材３７は、取付片３７ａにより扉の下木口１８ａに固定される。取付片３７ａは、ビス（図示せず）により３箇所のビス孔３８を介して扉の下木口１８ａに固定される。また、立設片３７ｂ、軸受片３７ｃおよび覆片３７ｄの外側はカバー９３で被覆されている。
【００２６】
下部扉側部材３７の立設片３７ｂ、軸受片３７ｃおよび覆片３７ｄの４片で囲まれる空間内にブロック８８が装着される。ブロック８８は、矩形状部分８８ａと、略円形状部分８８ｂとを組み合わせた異形方円形であり、その矩形状部分８８ａには水平方向に延長する雌ネジ８９が形成される。
【００２７】
一方、下部扉側部材３７の軸受片３７ｃ側には皿状孔（符号なし）が設けられ、この皿状孔に水平方向調整ネジ８５が挿入され、ブロック８８の雌ネジ８９に螺合される。水平方向調整ネジ８５の先端８５ｂ側は回動可能なように拡径してかしめられる。このように形成することにより、水平方向調整ネジの頭８５ａ側を回動することにより水平方向調整ネジ８５は、軸受片３７ｃに対しては相対的位置を変えずに回動するので、ブロック８８は水平方向調整ネジ８５の長手方向（図４の左右方向）に移動する。
【００２８】
床側部材３９は、下部ピン４２と、異形三角形状の座４５とから形成される。座４５は、下部ピン４２がかしめにより固着されるとともに、一対の長孔４１が設けられる。床側部材３９は、この長孔４１を利用してビス（図示せず）により床１２に固定される。該ビスが通るビス孔が長孔４１とされることにより、床側部材３９の扉枠に対する固定位置を調整することができる。
【００２９】
下部ピン４２は、円錐台形状を有するものとして形成されている（図５）。下部ピン４２は、下部扉側部材３７のブロック８８に形成された孔９０ａに挿入されるものであり、したがって、孔９０ａも下部ピン４２の形状に対応して円錐台形状の中空部を有するように形成されている（図６）。下部ピン４２および孔９０ａがこのような形状を有することにより、下部ピン４２が孔９０ａに挿入されたとき、下部ピン４２の先端面４２ａが孔９０ａの底面９０ｃと接触すると共に、下部ピン４２の側面４２ｂが孔９０ａの側面９０ｄと接触するので、棒状のピンが丸穴に挿入される構成の従来のピボットヒンジと比べて下部ピン４２と孔９０ａとの接触面積が大きくなり、下部ピン４２の回転に抵抗を与えるので、扉１７の開閉時の勢いを抑制し、また、過度に軽微な力では容易に開閉しないようにすることができる。下部ピン４２と孔９０ａとが接触する面（下部ピン４２の底面４２ａ・側面４２ｂ，孔９０ａの底面９０ｃ・側面９０ｄ）の少なくともいずれかに凹凸加工を施したり、摩擦係数の大きな材料を塗布などにより設けることにより、これらの間の摩擦を高め、上記作用効果がより顕著に発揮されるようにしても良い。
【００３０】
なお、下部扉側部材３７は、下部ピン４２に対して水平方向に微調整可能な下部水平方向調整機構８４を有するので、扉１７の下部を扉枠１に対して適正な位置に建付け調整することができる。
【００３１】
図１〜図３に加えてさらに図７〜図９を参照して、上部扉支持装置２５の構成について詳述する。前述のように、上部扉支持装置２５は、扉枠の上枠３側に固定される上枠側部材（扉枠側部材）２７と、扉側に固定される上部扉側部材２９とを備える。上部扉側部材２９は、下部扉側部材３７に対して対向する位置に設けられ、その形状は下部扉側部材３７に対して略反対勝手である。
【００３２】
上部扉側部材２９は、コイルばね３４（付勢手段）により上向きに付勢されるとともに上下方向に移動可能な上部ピン３１と、この上部ピン３１に対して水平方向に微調整可能な上部水平方向調整機構７１とを有する。上部扉側部材２９は、上部ピン３１が上枠側部材２７の穴２８に回動可能に嵌入することによりピン支承される。
【００３３】
ここで、上部ピン３１は棒状の主部３１ａの先端に円錐台形状の膨大部３１ｂが一体に設けられた形状を有しており（図８）、この上部ピン３１の膨大部３１ｂが挿入される穴２８も同様に円錐台形状の中空部を有するように形成されている（図９（ｂ））。上部ピン３１および穴２８がこのような形状を有することにより、上部ピン３１の円錐台形状先端部３１ｂが穴２８に挿入されたとき、上部ピン膨大部３１ｂの先端面３１ｃが穴２８の底面２８ａと接触すると共に、上部ピン膨大部３１ｂの側面３１ｄが穴２８の側面２８ｂと接触するので、棒状のピンが丸穴に挿入される構成の従来のピボットヒンジと比べて上部ピン３１と穴２８との接触面積が大きくなり、上部ピン３１の回転に抵抗を与えるので、扉１７の開閉時の勢いを抑制し、また、過度に軽微な力では容易に開閉しないようにすることができる。上部ピン３１と穴２８とが接触する面（上部ピン膨大部３１ｂの底面３１ｃ・３１ｄ，穴２８の底面２８ａ・側面２８ｂ）の少なくともいずれかに凹凸加工を施したり、摩擦係数の大きな材料を塗布などにより設けることにより、これらの間の摩擦を高め、上記作用効果がより顕著に発揮されるようにしても良い。
【００３４】
上部扉側部材２９は、板状の取付片２９ａと、この取付片２９ａの一辺片側寄りに立設される立設片２９ｂと、この立設片２９ｂの両側から延在する一対の軸受片２９ｃおよび先端側から延在する覆片２９ｄとを有する。立設片２９ｂ、軸受片２９ｃおよび覆片２９ｄは略立方体状の空間の隣り合う４面を覆う。上部扉側部材２９は、取付片２９ａにより扉の上木口１８ｂに固定される。取付片２９ａは、ビス（図示せず）により３箇所のビス孔３０を介して扉の上木口１８ｂに固定される。また、立設片２９ｂ、軸受片２９ｃおよび覆片２９ｄの外側はカバー８０で被覆されている。
【００３５】
さらに、上部扉側部材の立設片２９ｂ、軸受片２９ｃおよび覆片２９ｄの４片で囲まれる空間内にブロック７７が装着される。ブロック７７は、下部扉側部材３７のブロック８８と同様、矩形状部分と略円形状部分（いずれも符号なし）とを組み合わせた異形方円形であり、その矩形状部分には水平方向に延長する雌ネジ７８が形成される。
【００３６】
一方、扉側部材の軸受片２９ｃ側には皿状孔が設けられ、この皿状孔に水平方向調整ネジ７４が挿入され、ブロックの雌ネジ７８に螺合される。水平方向調整ネジ７４の先端７４ｂ側は回動可能なように拡径してかしめられる。このように形成することにより、水平方向調整ネジの頭７４ａ側を回動することにより水平方向調整ネジ７４は、軸受片２９ｃに対しては相対的位置を変えずに回動するので、ブロック７７は水平方向調整ネジ７４の長手方向（図７の左右方向）に移動する。
【００３７】
先に記載したように、上部扉側部材２９は、コイルばね３４により上向きに付勢されるとともに上下方向に移動可能な上部ピン３１が上枠側部材２７の穴２８に回動可能に嵌入することによりピン支承される。さらに、上部ピン３１は、その基端側につまみ３３が設けられ、このつまみ３３を下方に引くことにより上部ピン３１の先端が上枠側部材の穴２８から外れるようになっている。
【００３８】
上枠側部材２７は、板状の取付片２７ａと、その一辺側に延在させた軸受片２７ｂとを有する。取付片２７ａには上枠に取り付けるための４箇所の孔２７ｃが設けられ、ビス（図示せず）をこれら孔２７ｃに通して固定される。軸受片２７ｂには円筒状部分２７ｆの内部に穴２８が形成され、この穴２８に上部ピン３１の先端が抜き差し可能に嵌入される。さらに、軸受片２７ｂにはリブ２７ｄが形成され、このリブ２７ｄの先端寄りには覆い板２７ｅが設けられ、ピン３１の先端側が十分に嵌入できるように形成される。
【００３９】
なお、上部扉側部材のピン３１は、コイルばね３４により上向きに付勢されるとともに上下方向に移動可能であるので、上部ピン３１を上下方向に移動させることにより扉１７の上部を扉枠１に対して簡単に着脱することができる。さらに、上部扉側部材２９は、上部ピン３１に対して水平方向に微調整可能な上部水平方向調整機構７１を有するので、扉１７の上部を扉枠１に対して適正な位置に建付け調整することができる。
【実施例２】
【００４０】
次に、図１０〜図１２を参照して、本発明の他の実施形態による扉支持装置の構成について詳述する。この実施形態による扉支持装置は下部扉支持装置３５として構成されており、図１０〜図１２は実施例１の下部扉支持装置３５の構成を示す図４（ｂ），図５および図６にそれぞれ対応するものであり、同一または対応する構成要素ないし部材には同一の符号を付してある。
【００４１】
この実施形態において、床側部材３９の下部ピン４２は全体が略棒状ないし円柱状に形成されているが、その先端部をすり鉢状に内方に傾斜させて円錐状凹部４３が設けられ、且つ、先端から円錐状凹部４３の底を通ってさらに下方に延長するスリット４４が下部ピン４２の直径に亘って形成されている（図１１）。
【００４２】
下部ピン４２は、その先端が下部扉側部材３７のブロック８８に形成された孔９０ａに回転自在に挿入されるものであり、したがって、孔９０ａも下部ピン４２の先端部形状に対応して、略円柱状の中空部を有する丸穴として形成されつつ、その上端が下部ピン４２の先端円錐状凹部４３に挿入可能な円錐状底部９０ｅを有する（図１２）。
【００４３】
下部ピン４２および孔９０ａがこのような形状を有することにより、下部ピン４２が孔９０ａに挿入されたとき、下部ピン４２の先端面円錐状凹部４３に下部扉側部材３７の円錐状底部９０ｅが入り込んで、これらの円錐状側面同士が接触するので、棒状のピンが丸穴に挿入される構成の従来のピボットヒンジと比べて下部ピン４２と孔９０ａとの接触面積が大きくなり、下部ピン４２の回転に抵抗を与えるので、扉１７の開閉時の勢いを抑制し、また、過度に軽微な力では容易に開閉しないようにすることができる。さらに、この実施形態によれば、扉１７の荷重が作用することにより、下部ピン４２のスリット４４を押し拡げながら下部ピン４２の先端円錐状凹部４３に下部扉側部材３７の円錐状突起９０ｅが入り込んでいくことになるので、これらの間に摩擦抵抗が生じ、上述の作用効果がより顕著に発揮される。さらに、下部ピン４２と孔９０ａとが接触する面（これらの円錐側面）の少なくとも一方に凹凸加工を施したり、摩擦係数の大きな材料を塗布などにより設けることにより、これらの間の摩擦を高め、上記作用効果をより一層顕著に発揮させるようにしても良い。
【００４４】
この実施形態による下部扉支持装置３５の上記以外の構成は実施例１の下部扉支持装置３５と同様であるので、詳細な説明を割愛する。
【００４５】
なお、図示しないが、図１０〜図１２に示す下部扉支持装置３５におけるピボットヒンジと同様の構成を上部扉支持装置２５について適用しても良い。この場合、上部扉支持装置２５の上部扉支持装置２５に設けられる上部ピン３１の先端に円錐状凹部を設けると共に、上枠側部材２７の穴２８の先端に円錐状突起を設けるか、あるいは逆に、上部ピン３１の先端に円錐状突起を設けると共に、穴２８の先端に円錐状凹部を設け、上部ピン３１が穴２８に挿入されたときにこれらが円錐側面同士で接触するようにする。この場合は扉１７の荷重が作用しないので、上部扉支持装置２５にこの構成を採用する場合は、スリット４４は省略することができる。
【実施例３】
【００４６】
次に、図１３〜図１５を参照して、本発明のさらに他の実施形態による扉支持装置の構成について詳述する。この実施形態による扉支持装置は下部扉支持装置３５として構成されており、図１３〜図１５は実施例１の下部扉支持装置３５の構成を示す図４（ｂ），図５および図６にそれぞれ対応するものであり、同一または対応する構成要素ないし部材には同一の符号を付してある。
【００４７】
この実施形態において、床側部材３９の下部ピン４２は略棒状ないし円柱状であるが、その先端４２ｃが半球面状に形成されている（図１４（ｂ））。下部ピン４２は、その先端が下部扉側部材３７のブロック８８に形成された孔９０ａに回転自在に挿入されるものであり、したがって、孔９０ａも下部ピン４２の先端部形状に対応して半球面状の底面９０ｆを有するものとして形成されている（図１５）。
【００４８】
下部ピン４２および孔９０ａがこのような形状を有することにより、下部ピン４２が孔９０ａに挿入されたとき、下部ピン４２の半球面状先端４２ｃと孔９０ａの半球面状底面９０ｆとが接触するので、棒状のピンが丸穴に挿入される構成の従来のピボットヒンジと比べて下部ピン４２と孔９０ａとの接触面積が大きくなり、下部ピン４２の回転に抵抗を与えて、扉１７の開閉時の勢いを抑制し、また、過度に軽微な力では容易に開閉しないようにすることができる。さらに、下部ピン４２の半球面状先端４２ｃと孔９０ａの半球面状底面９０ｆの少なくとも一方に凹凸加工を施したり、摩擦係数の大きな材料を塗布などにより設けることにより、これらの間の摩擦を高め、上記作用効果が顕著に発揮されるようにしても良い。
【００４９】
この実施形態による下部扉支持装置３５の上記以外の構成は実施例１の下部扉支持装置３５と同様であるので、詳細な説明を割愛する。
【実施例４】
【００５０】
次に、図１６〜図１７を参照して、本発明のさらに他の実施形態による扉支持装置の構成について詳述する。この実施形態による扉支持装置は上部扉支持装置２５として構成されており、図１６〜図１７は実施例１の上部扉支持装置２５の構成を示す図７および図９にそれぞれ対応するものであり、同一または対応する構成要素ないし部材には同一の符号を付してある。
【００５１】
この実施形態において、上部扉側部材２９の上部ピン３１は略棒状ないし円柱状であるが、その先端３１ｅが半球面状に形成されている（図１６）。上部ピン３１は、その先端が上枠側部材２７の穴２８に回転自在に挿入されるものであり、したがって、穴２８も上部ピン３１の先端部形状に対応して半球面状の底面２８ｃを有するものとして形成されている（図１７）。
【００５２】
上部ピン３１および穴２８がこのような形状を有することにより、上部ピン３１が穴２８に挿入されたとき、上部ピン３１の半球面状先端３１ｅと穴２８の半球面状底面２８ｃとが接触するので、棒状のピンが丸穴に挿入される構成の従来のピボットヒンジと比べて上部ピン３１と穴２８との接触面積が大きくなり、上部ピン３１の回転に抵抗を与えて、扉１７の開閉時の勢いを抑制し、また、過度に軽微な力では容易に開閉しないようにすることができる。さらに、上部ピン３１の半球面状先端３１ｅと穴２８の半球面状底面２８ｃの少なくとも一方に凹凸加工を施したり、摩擦係数の大きな材料を塗布などにより設けることにより、これらの間の摩擦を高め、上記作用効果が顕著に発揮されるようにしても良い。
【００５３】
この実施形態による上部扉支持装置２５の上記以外の構成は実施例１の上部扉支持装置２５と同様であるので、詳細な説明を割愛する。
【産業上の利用可能性】
【００５４】
本発明は、集合住宅や個別住宅の扉あるいは事務所、店舗などの扉に対して幅広く利用可能である。
【符号の説明】
【００５５】
１  扉枠
３  上枠
５  左縦枠
６  右縦枠
８  戸当たり
１２  床
１４  開口部
１７  扉
２５  上部扉支持装置
２７  上枠側部材
２８  穴（上部ピンのピン嵌合穴）
２８ａ  穴の底面
２８ｂ  穴の側面
２８ｃ  穴の半球面状底面
２９  上部扉側部材
３１  上部ピン
３１ｂ  上部ピンの円錐台形状膨大部
３１ｃ  上部ピンの円錐台形状膨大部の先端面
３１ｄ  上部ピンの円錐台形状膨大部の側面
３１ｅ  上部ピンの半球面状先端
３５  下部扉支持装置
３７  下部扉側部材
３９  床側部材
４２  下部ピン
４２ａ  下部ピンの先端面
４２ｂ  下部ピンの側面
４２ｃ  下部ピンの半球面状先端
４３  円錐状凹部
４４  スリット
９０ａ  孔（下部ピンのピン嵌合穴）
９０ｃ  孔の底面
９０ｄ  孔の側面
９０ｅ  孔の円錐状底部
９０ｆ  孔の半球面状底面
【図１】
2010180625.tif 000003
【図２】
2010180625.tif 000004
【図３】
2010180625.tif 000005
【図４】
2010180625.tif 000006
【図５】
2010180625.tif 000007
【図６】
2010180625.tif 000008
【図７】
2010180625.tif 000009
【図８】
2010180625.tif 000010
【図９】
2010180625.tif 000011
【図１０】
2010180625.tif 000012
【図１１】
2010180625.tif 000013
【図１２】
2010180625.tif 000014
【図１３】
2010180625.tif 000015
【図１４】
2010180625.tif 000016
【図１５】
2010180625.tif 000017
【図１６】
2010180625.tif 000018
【図１７】
2010180625.tif 000019